(57)【特許請求の範囲】
【請求項１】
光軸を有するレンズを保持するためのレンズホルダと、
該光軸に対して該レンズの外周に配置してあるフォーカシングコイルと、
複数のコイルを含む光学式手ぶれ補正器コイル構造と、
該光学式手ぶれ補正器コイル構造に電気的に接続されて該光学式手ぶれ補正器コイル構造を制御する電気回路構造と、
複数の磁石と、
導電性のある上板ばね部および導電性のある複数のサスペンションワイヤを有し、それぞれのサスペンションワイヤが該光軸に実質的に平行するように配置され、かつそれぞれのサスペンションワイヤが一端で該上板ばね部と一体成型され、他端で該電気回路構造に電気的に接続してあり、それぞれのサスペンションワイヤと該上板ばねとの間に折曲部があり、同折曲部により、それぞれのサスペンションワイヤと該上板ばねとが実質的に直交する弾性支持構造とを備え、
該上板ばね部は少なくとも１つの第１上板ばねと少なくとも１つの第２上板ばねを含み、該複数のサスペンションワイヤは２つの第１サスペンションワイヤと２つの第２サスペンションワイヤとを含み、
該フォーカシングコイルは該第１上板ばねと該第２上板ばねに電気的に接続してあることを特徴とするレンズ駆動装置。
【請求項２】
該上板ばね部は該光軸に沿って該レンズホルダを弾性的に保持することを特徴とする請求項１に記載のレンズ駆動装置。
【請求項３】
それぞれの第１サスペンションワイヤは該光軸に実質的に平行するように配置され、各該第１サスペンションワイヤは一端で該第１上板ばねと一体成型され、他端で該電気回路構造に電気的に接続されるとともに、それぞれの第２サスペンションワイヤは該光軸に実質的に平行するように配置され、各該第２サスペンションワイヤは一端で該第２上板ばねと一体成型され、他端で該電気回路構造に電気的に接続してあることを特徴とする請求項１に記載のレンズ駆動装置。
【請求項４】
該第１上板ばねは内板ばね部および外板ばね部を含み、該外板ばね部は該内板ばね部に電気的に接続され、
該第２上板ばねは内板ばね部および外板ばね部を含み、該外板ばね部は該内板ばね部に電気的に接続され、
各該第１サスペンションワイヤは一端で該第１上板ばねの該外板ばね部と一体成型され、かつ他端で該電気回路構造に電気的に接続され、
各該第２サスペンションワイヤは一端で該第２上板ばねの該外板ばね部と一体成型され、かつ他端で該電気回路構造に電気的に接続してあることを特徴とする請求項１に記載のレンズ駆動装置。
【請求項５】
該フォーカシングコイルは該第１上板ばねの該内板ばね部および該第２上板ばねの該内板ばね部に電気的に接続してあることを特徴とする請求項４に記載のレンズ駆動装置。
【請求項６】
該光学式手ぶれ補正器コイル構造は光軸に垂直する平面上に配置してあることを特徴とする請求項１に記載のレンズ駆動装置。
【請求項７】
該複数の磁石は、それぞれが、該フォーカシングコイルに対向する第１表面を有する複数の第１磁石と、それぞれが、該光学式手ぶれ補正器コイル構造の個別のコイルに対向する第２表面を有する複数の第２磁石とを含むことを特徴とする請求項１に記載のレンズ駆動装置。
【請求項８】
該第１磁石と該第２磁石は同じ磁石であることを特徴とする請求項７に記載のレンズ駆動装置。
【請求項９】
該第１磁石と該第２磁石は異なる磁石であることを特徴とする請求項７に記載のレンズ駆動装置。
【請求項１０】
該電気回路構造は可撓性プリント電気回路であることを特徴とする請求項１に記載のレンズ駆動装置。
【請求項１１】
該上板ばね部は該レンズホルダの上表面に配置してあることを特徴とする請求項１に記載のレンズ駆動装置。
【発明の詳細な説明】
【技術分野】
【０００１】
本発明は３Ｄ弾性支持構造を有するレンズ駆動装置に関し、より具体的には、ボイスコイルモータ（Ｖｏｉｃｅ  Ｃｏｉｌ  Ｍｏｔｏｒ：ＶＣＭ）を使用したレンズ駆動装置。
【背景技術】
【０００２】
小型カメラは例えば携帯電話やタブレットパソコンなどのモバイル電子デバイスの応用において益々普及してきている。このようなカメラの性能の向上とパッケージのサイズの維持とを両立させることはいつも期待される。このようなモバイル電子デバイスに装着される付属部材と構成要素のために、このような小型カメラの性能の向上の需要とさらなる小型化の需要はいつもある。特に、高品質のイメージを得るためには、光軸に沿うレンズの運動における、他の自由度（特に光軸に垂直する軸線回りに傾斜する）に沿って派生する最小の寄生運動が要求される。この要求を満たすために、サスペンション機構はこのような寄生運動に対して剛性を有する必要がある。しかしながら、１μｍの分解能によりレンズの位置を制御するために、このようなサスペンション機構は摩擦を考慮する必要がある。
【０００３】
図１５はボイスコイルモータ（ＶＣＭ）に用いられる従来のレンズ駆動装置の主要構造を示す模式図。読者の理解を助けるために、レンズ駆動装置のいくつかの小部品を示していない。図１５に示すように、レンズ駆動装置１５は、第１上板ばね１５１１、第２上板ばね１５１２、レンズホルダ１５２、フォーカシングコイル１５３、光学式手ぶれ補正器（Ｏｐｔｉｃａｌ  Ｉｍａｇｅ  Ｓｔａｂｉｌｉｚｅｒ：ＯＩＳ）コイル構造１５４および可撓性プリント電気回路１５５を主に含んでいる。
【０００４】
レンズ駆動装置１５は２つの第１サスペンションワイヤ１５６１、１５６２および２つの第２サスペンションワイヤ１５６３，１５６４をさらに含んでいる。第１サスペンションワイヤ１５６１，１５６２はそれぞれ、一端で可撓性プリント電気回路１５５に電気的に接続されるとともに、他端で第１上板ばね１５１１に電気的に接続してある。第２サスペンションワイヤ１５６３，１５６４はそれぞれ、一端で可撓性プリント電気回路１５５に電気的に接続されるとともに、他端で第２上板ばね１５１２に電気的に接続してある。注意するのは、第１上板ばね１５１１と第２上板ばね１５１２は別々に配置されるため、構造的に接続されていない。
【０００５】
図１６は図１５のレンズ駆動装置のフォーカシングコイルと上板ばねとの間の電気接続を示す部分的拡大上面斜視図である。図１６に示すように、フォーカシングコイル１５３はさらに、溶接部１６により第１上板ばね１５１１に電気的に接続してある。このほか、フォーカシングコイル１５３は別の溶接部（図示せず）により第２上板ばね１５１２に電気的に接続してあることがわかる。
【０００６】
図１７は図１５のレンズ駆動装置の可撓性プリント電気回路とサスペンションワイヤとの間の電気接続および、上板ばねとサスペンションワイヤとの間の接続を示す部分的拡大底面斜視図である。図１７に示すように、可撓性プリント電気回路１５５は溶接部１７１により第１サスペンションワイヤ１５６１の一端に電気的に接続されるとともに、第１上板ばね１５１１はさらに溶接部１７２により第１サスペンションワイヤ１５６１の他端に電気的に接続してある。このほか、図面に示していないが、理解できるのは、可撓性プリント電気回路１５５は溶接部により第１サスペンションワイヤ１５６２の一端に電気的に接続されるとともに、第１上板ばね１５１１はさらに、別の溶接部により第１サスペンションワイヤ１５６２の他端に電気的に接続してある。
【０００７】
同様に、図面に示していないが、可撓性プリント電気回路１５５は溶接部により第２サスペンションワイヤ１５６３の一端に電気的に接続されるとともに、第２上板ばね１５１２はさらに、別の溶接部により第２サスペンションワイヤ１５６３の他端に電気的に接続してある。このほか、可撓性プリント電気回路１５５は溶接部により第２サスペンションワイヤ１５６４の一端に電気的に接続されるとともに、第２上板ばね１５１２はさらに、別の溶接部により第２サスペンションワイヤ１５６４の他端に電気的に接続してある。
【発明の概要】
【発明が解決しようとする課題】
【０００８】
しかしながら、溶接部の使用により製造の困難さと構成要素の重量が増加するため、所定寸法のカメラに対し、大きいレンズおよび大きいイメージセンサを取り付けてイメージの品質を向上する必要がある。したがって、部品数を減らすとともに、サスペンションワイヤと上板ばねを接続するための溶接過程を省く必要がある。
【０００９】
従来技術における前記問題に対し、本発明の目的は、４つのサスペンションワイヤがいずれも上板ばねと一体的にまたは全体的に形成されることにより、部品数を減らすとともに、溶接過程を省く３Ｄ弾性支持構造を有するレンズ駆動装置を提供することにある。
【課題を解決するための手段】
【００１０】
本発明の一つの態様によれば、導電性のある上板ばね部および導電性のある複数のサスペンションワイヤを有する弾性支持構造と、光軸を有するレンズを保持するためのレンズホルダと、該光軸に対して該レンズの外周に配置してあるフォーカシングコイルと、複数のコイルを含む光学式手ぶれ補正器コイル構造と、該光学式手ぶれ補正器コイル構造に電気的に接続されて該光学式手ぶれ補正器コイル構造を制御する電気回路構造と、複数の磁石とを含み、前記上板ばね部は少なくとも１つの第１上板ばねと、第１上板ばねから独立して配置された少なくとも１つの第２上板ばねとを含み、それぞれのサスペンションワイヤは該光軸に実質的に平行するように配置しあり、かつそれぞれのサスペンションワイヤは一端で該上板ばね部と一体成型され、他端で該電気回路構造に電気的に接続されたレンズ駆動装置であって、上板ばね部は少なくとも１つの第１上板ばねと少なくとも１つの第２上板ばねを含み、複数のサスペンションワイヤは２つの第１サスペンションワイヤと２つの第２サスペンションワイヤとを含み、フォーカシングコイルは第１上板ばねと第２上板ばねに電気的に接続してあるレンズ駆動装置を提供する。それぞれのサスペンションワイヤと上板ばねとの間に折曲部があり、同折曲部により、それぞれのサスペンションワイヤと上板ばねとが実質的に直交する。
【００１１】
好ましくは、該上板ばね部は該光軸に沿って該レンズホルダを弾性的に保持する。
好ましくは、該上板ばね部は該レンズホルダのトップ面上に配置され、フォーカシングコイルは第１上板ばねと第２上板ばねに電気的に接続してある。
【００１２】
好ましくは、第１上板ばねは内板ばね部とそれに電気的に接続された外板ばね部とを含み、第２上板ばねは内板ばね部とそれに電気的に接続された外板ばね部とを含み、それぞれの第１サスペンションワイヤは一端で第１上板ばねの外板ばね部と一体成型され、かつ他端で電気回路構造に電気的に接続され、それぞれの第２サスペンションワイヤは一端で第２上板ばねの該外板ばね部と一体成型され、他端で電気回路構造に電気的に接続してある。このほか、フォーカシングコイルは第１上板ばねの内板ばね部および第２上板ばねの内板ばね部に電気的に接続してある。
【００１３】
好ましくは、第１上板ばねは内板ばね部と、それと電気的に絶縁された外板ばね部とを含み、第２上板ばねは内板ばね部と、それと電気的に絶縁された外板ばね部とを含み、それぞれの第１サスペンションワイヤは一端で第１上板ばねの外板ばね部と一体成型され、かつ他端で該電気回路構造に電気的に接続され、それぞれの第２サスペンションワイヤは一端で第２上板ばねの外板ばね部と一体成型され、かつ他端で該電気回路構造に電気的に接続してある。このほか、フォーカシングコイルは第１上板ばねの外板ばね部および第２上板ばねの外板ばね部に電気的に接続してある。
【００１４】
好ましくは、該ＯＩＳコイル構造は光軸に垂直する平面上に配置してある。
好ましくは、該複数の磁石は、それぞれが、該フォーカシングコイルに対向する第１表面を有する複数の第１磁石と、それぞれが、該ＯＩＳコイル構造の個別のコイルに対向する第２表面を有する複数の第２磁石とを含む。
【００１５】
好ましくは、該第１磁石と該第２磁石は同じ磁石であり、または、該第１磁石と該第２磁石は異なる磁石である。
好ましくは、該電気回路構造は可撓性プリント電気回路（ｆｌｅｘｉｂｌｅ  ｐｒｉｎｔｅｄ  ｃｉｒｃｕｉｔ）である。
【００１６】
好ましくは、第１サスペンションワイヤの数と第２サスペンションワイヤの数は同じである。
好ましくは、第１サスペンションワイヤの数は２である。
【発明の効果】
【００１７】
本発明は、部品数を減らすとともに、溶接過程を省く３Ｄ弾性支持構造を有するレンズ駆動装置を提供することができる。
【図面の簡単な説明】
【００１８】
【図１】図１はよく見かける電磁方式を利用した本発明に係るレンズ駆動装置を示す模式的斜視図であり、なお、ＡＦコイル（ＡＦ：オートフォーカス）、ＯＩＳコイルおよび磁石のレイアウトを明確に示すために、上板ばね、下板ばねおよびレンズ組立体を省略した。
【図２】図２は図１の模式的平面分解図であり、図１の構造中の磁場分布を示している。
【図３】図３は単独な電磁方式を利用した本発明に係るレンズ駆動装置を示す模式的斜視図であり、なお、ＡＦコイル、ＯＩＳコイルおよび磁石のレイアウトを明確に示すために、上板ばね、下板ばねおよびレンズ組立体を省略した。
【図４】図４は図３の模式的上面斜視分解図である。
【図５】図５は図４の模式的平面図であり、図３の構造中の磁場分布を示している。
【図６】図６は本発明の第１実施例に係るＶＣＭ用レンズ駆動装置の主要構造を示す模式図である。
【図７】図７は図６のレンズ駆動装置のサスペンションワイヤと一体成型された上板ばねの部分的拡大上面斜視図である。
【図８】図８は図６のレンズ駆動装置のフォーカシングコイルと上板ばねの間との電気接続を示す部分的拡大上面斜視図である。
【図９】図９は本発明の第２実施例に係るＶＣＭ用レンズ駆動装置の主要構造を示す模式図である。
【図１０】図１０は図９のレンズ駆動装置のサスペンションワイヤと一体成型された上板ばねの外板ばね部を示す部分的拡大上面斜視図である。
【図１１】図１１は図９のレンズ駆動装置のフォーカシングコイルと上板ばねとの間の電気接続を示す部分的拡大上面斜視図である。
【図１２】図１２は本発明の第３実施例に係るＶＣＭ用レンズ駆動装置の主要構造を示す模式図である。
【図１３】図１３は図１２のレンズ駆動装置のサスペンションワイヤと一体成型された上板ばねの外板ばね部を示す部分的拡大上面斜視図である。
【図１４】図１４は図１２のレンズ駆動装置のフォーカシングコイルと上板ばねとの間の電気接続を示す部分的拡大上面斜視図である。
【図１５】図１５はボイスコイルモータに用いられる従来のレンズ駆動装置の主要構造を示す模式図である。
【図１６】図１６は図１５のレンズ駆動装置のフォーカシングコイルと上板ばねとの間の電気接続を示す部分的拡大上面斜視図である。
【図１７】図１７は図１５のレンズ駆動装置の可撓性プリント電気回路とサスペンションワイヤとの間の電気接続および、上板ばねとサスペンションワイヤとの間の接続を示す部分的拡大底面斜視図である。
【発明を実施するための形態】
【００１９】
以下、実施例と図面を参照しながら本発明をより詳しく説明する。図面において、明細書で使用されている構成要素の符号を参考にする。
本発明に係るレンズ駆動装置はボイスコイルモータ構造によるものであり、かつオートフォーカス（ＡＦ）機能と光学式手ぶれ補正器（ＯＩＳ）機能を提供している。これら２つの機能はよく見かける電磁方式または単独な電磁方式により実現される。図１はよく見かける電磁方式を利用した本発明に係るレンズ駆動装置を示す模式的斜視図であり、なお、ＡＦコイル、ＯＩＳコイルおよび磁石のレーアウトを明確に示すために、上板ばね、下板ばねおよびレンズ組立体を省略した。図２は図１の模式的平面分解図であり、なお、図１の構造における磁場分布を示している。
【００２０】
図１に示すように、本発明に係るレンズ駆動装置は主に、光軸を有するレンズ組立体（図示せず）、オートフォーカスコイル（ＡＦコイル）３、ＯＩＳコイル組および複数の磁石６１ｘ、６１ｙ、６２ｘ、６２ｙを含んでいる。本発明において、Ｚ軸を光軸と定義している。ＡＦコイル３と磁石６１ｘ、６１ｙ、６２ｘ、６２ｙは光軸に対してレンズ組立体の外周の周りに配置してある。ＯＩＳコイル組は、光軸に垂直する平面上に配置されている複数のＯＩＳコイル９１ｘ、９１ｙ、９２ｘ、９２ｙを含んでいる。それぞれの磁石６１ｘ、６１ｙ、６２ｘ、６２ｙはいずれも内側Ｎ極と外側Ｓ極を有している。ＡＦコイル３とＯＩＳコイル組は磁石６１ｘ、６１ｙ、６２ｘ、６２ｙから構成されるよく見かける磁石を共用している。それぞれの磁石６１ｘ、６１ｙ、６２ｘ、６２ｙはいずれも第１表面と第２表面を有している。それぞれの磁石６１ｘ、６１ｙ、６２ｘ、６２ｙの第１表面がいずれもＡＦコイル３に対向し、それぞれの磁石６１ｘ、６１ｙ、６２ｘ、６２ｙの第２表面がいずれも、ＯＩＳコイル９１ｘ、９１ｙ、９２ｘ、９２ｙのうちの１つに対向するように、ＯＩＳコイル９１ｘ、９１ｙ、９２ｘ、９２ｙは磁石６１ｘ、６１ｙ、６２ｘ、６２ｙの下面に配置されている。ＡＦ電流とよく見かける磁石によりＡＦコイル３に電磁駆動力が発生してオートフォーカス機能を実行する。ＯＩＳ電流とよく見かける磁石によりＯＩＳコイル組に電磁駆動力が発生してＯＩＳ機能（すなわち、手ぶれ防止機能）を実行する。
【００２１】
具体的には、ＡＦコイル３とそれぞれの磁石６１ｘ、６１ｙ、６２ｘ、６２ｙの第１表面が互いに作用することにより、ＡＦコイル３とレンズ組立体は磁石６１ｘ、６１ｙ、６２ｘ、６２ｙに対し光軸に沿って移動してオートフォーカス機能を実行することができる。ＯＩＳコイル９１ｘと磁石６１ｘの第２表面が作用する方向と、ＯＩＳコイル９２ｘと磁石６２ｘの第２表面が作用する方向とは同じである。ＯＩＳコイル９１ｙと磁石６１ｙの第２表面が作用する方向と、ＯＩＳコイル９２ｙと磁石６２ｙの第２表面が作用する方向とは同じである。よって、レンズ組立体、ＡＦコイル３および磁石６１ｘ、６１ｙ、６２ｘ、６２ｙは光軸に垂直する方向（すなわち、Ｘ軸方向および／またはＹ軸方向）に沿ってＯＩＳコイル９１ｘ、９１ｙ、９２ｘ、９２ｙに対し移動してＯＩＳ機能（すなわち、手ぶれ防止機能）を実行することができる。
【００２２】
図３は単独な電磁方式を利用した本発明に係るレンズ駆動装置を示す模式的斜視図であり、なお、ＡＦコイル、ＯＩＳコイルおよび磁石のレイアウトを明確に示すために、上板ばね、下板ばねおよびレンズ組立体を省略した。図４は図３の模式的上面斜視分解図である。図５は図４の模式的平面図であり、図３の構造中の磁場分布を示している。
【００２３】
図３に示すように、本発明に係るレンズ駆動装置は、光軸を有するレンズ組立体（図示せず）、オートフォーカスコイル（ＡＦコイル）３、ＯＩＳコイル組、複数のＡＦ磁石６３ｘ、６３ｙ、６４ｘ、６４ｙおよび複数のＯＩＳ磁石６５ｘ、６５ｙ、６６ｘ、６６ｙを主に含んでいる。ＡＦコイル３、ＡＦ磁石６３ｘ、６３ｙ、６４ｘ、６４ｙおよびＯＩＳ磁石６５ｘ、６５ｙ、６６ｘ、６６ｙは光軸に対してレンズ組立体の外周の周りに配置されている。ＯＩＳ磁石６５ｘ、６５ｙ、６６ｘ、６６ｙはＡＦ磁石６３ｘ、６３ｙ、６４ｘ、６４ｙの下方に位置している。ＯＩＳコイル組は、光軸に垂直する平面上に配置され、ＯＩＳ磁石６５ｘ、６５ｙ、６６ｘ、６６ｙの下面に位置する複数のＯＩＳコイル９１ｘ、９１ｙ、９２ｘ、９２ｙを含んでいる。ＯＩＳコイル９１ｘ、９１ｙ、９２ｘ、９２ｙはそれぞれこの順にＯＩＳ磁石６５ｘ、６５ｙ、６６ｘ、６６ｙに対向している。それぞれのＡＦ磁石６３ｘ、６３ｙ、６４ｘ、６４ｙはいずれも内側Ｎ極と外側Ｓ極を有している。
【００２４】
ＡＦ電流とＡＦ磁石６３ｘ、６３ｙ、６４ｘ、６４ｙによりＡＦコイル３に電磁駆動力が発生してオートフォーカス機能を実行する。ＯＩＳ電流とＯＩＳ磁石６５ｘ、６５ｙ、６６ｘ、６６ｙによりＯＩＳコイル組に電磁駆動力が発生してＯＩＳ機能（すなわち、手ぶれ防止機能）を実行する。具体的には、ＡＦコイル３とそれぞれのＡＦ磁石６３ｘ、６３ｙ、６４ｘ、６４ｙが相互に作用することにより、ＡＦコイル３とレンズ組立体はＡＦ磁石６３ｘ、６３ｙ、６４ｘ、６４ｙに対して光軸に沿って移動してオートフォーカス機能を実行する。ＯＩＳコイル９１ｘとＯＩＳ磁石６５ｘが作用する方向と、ＯＩＳコイル９２ｘとＯＩＳ磁石６６ｘが作用する方向とは同じである。ＯＩＳコイル９１ｙとＯＩＳ磁石６５ｙが作用する方向と、ＯＩＳコイル９２ｙとＯＩＳ磁石６６ｙが作用する方向とは同じである。
【００２５】
このため、レンズ組立体、ＡＦコイル３、ＡＦ磁石６３ｘ、６３ｙ、６４ｘ、６４ｙおよびＯＩＳ磁石６５ｘ、６５ｙ、６６ｘ、６６ｙは光軸に垂直する方向（すなわち、Ｘ軸方向および／またはＹ軸方向）に沿ってＯＩＳコイル９１ｘ、９１ｙ、９２ｘ、９２ｙに対し移動してＯＩＳ機能（すなわち、手ぶれ防止機能）を実行することができる。
【実施例１】
【００２６】
図６はレンズ駆動装置の主要構造を示す模式図である。読者の理解を助けるために、レンズ駆動装置の一部の小部品を示していない。図６に示すように、レンズ駆動装置６は上板ばね部と複数のサスペンションワイヤ６６１〜６６４を有する弾性支持構造、レンズホルダ６２、フォーカシングコイル６３、光学式手ぶれ補正器（ＯＩＳ）コイル構造６４および可撓性プリント電気回路６５を主に含んでおり、なお、上板ばね部は第１上板ばね６１１と第２上板ばね６１２を含んでおり、また、上板ばね部はレンズホルダ６２のトップ面上に配置されて光軸に沿ってレンズホルダ６２を弾性的に保持する。
【００２７】
第１上板ばね６１１と第２上板ばね６１２は別々に配置されるため、両者の間で構造的に接続されていない。レンズホルダ６２（図示せず）は光軸を有するレンズの保持に用いられる。フォーカシングコイル６３は光軸に対しレンズの外周に配置されている。ＯＩＳコイル構造６４はその上に位置する複数のコイル（図示せず）を含み、かつ光軸に垂直する平面上に配置されている。可撓性プリント電気回路６５はＯＩＳコイル構造６４に電気的に接続されて、ＯＩＳコイル構造６４を電気的に制御する。
【００２８】
レンズ駆動装置６は２つの第１サスペンションワイヤ６６１、６６２および２つの第２サスペンションワイヤ６６３、６６４を含んでいる。第１サスペンションワイヤ６６１と６６２はそれぞれ、一端で可撓性プリント電気回路６５に電気的に接続され、かつ他端で第１上板ばね６１１に電気的に接続され、かつ光軸に実質的に平行するように配置されている。注意するのは、第１サスペンションワイヤ６６１と６６２がそれぞれ、第１上板ばね６１１と一体的にまたは全体的に形成されている。
【００２９】
第２サスペンションワイヤ６６３と６６４はそれぞれ一端で可撓性プリント電気回路６５に電気的に接続され、他端で第２上板ばね６１２に電気的に接続され、かつ光軸に実質的に平行するように配置されている。同様に、第２サスペンションワイヤ６６３と６６４はそれぞれ、第２上板ばね６１２と一体的にまたは全体的に形成されている。
【００３０】
図７は図６のレンズ駆動装置のサスペンションワイヤと一体成型された上板ばね部を示す拡大上面斜視図である。図７に示すように、第１サスペンションワイヤ６６１と第１上板ばね６１１の間は一体成型構造であるため、部品数を減らすとともに、溶接過程を有効に省く。同様に、他のサスペンションワイヤ６６２〜６６４と上板ばね６１１、６１２との間の一体成型構造は同じ機能を有している。
【００３１】
図８は図６のレンズ駆動装置のフォーカシングコイルと上板ばねの間との電気接続を示す部分的拡大上面斜視図である。図８に示すように、フォーカシングコイル６３は溶接部８１により第１上板ばね６１１に電気的に接続されている。同様に、図面に示していないが、フォーカシングコイル６３はさらに、別の溶接部により第２上板ばね６１２に電気的に接続されている。このため、フォーカシングコイル６３は、可撓性プリント電気回路６５、４つのサスペンションワイヤ６６１〜６６４、上板ばね６１１と６１２およびフォーカシングコイル６３の電気回路を形成するように第１上板ばね６１１と第２上板ばね６１２に接続されている。
【実施例２】
【００３２】
図９は本発明に係る第２実施例のＶＣＭ用レンズ駆動装置の主要構造を示す模式図である。読者の理解を助けるために、レンズ駆動装置の一部の小部品を示していない。図９に示すように、レンズ駆動装置９は、上板ばね部と複数のサスペンションワイヤ９６１〜９６４を有する弾性支持構造、レンズホルダ９２、フォーカシングコイル９３、ＯＩＳコイル構造９４および可撓性プリント電気回路９５を主に含んでおり、上板ばね部は内板ばね部９１１１および外板ばね部９１１２を有する第１上板ばね９１１と、内板ばね部９１２１および外板ばね部９１２２を有する第２上板ばね９１２とを含んでおり、なお、上板ばね部は、レンズホルダ９２のトップ面上に配置されて光軸に沿ってレンズホルダ９２を弾性的に保持する。
【００３３】
第１上板ばね９１１と第２上板ばね９１２は別々に配置されるため、両者の間で構造的に接続されていない。レンズホルダ９２（図示せず）は光軸を有するレンズの保持に用いられる。フォーカシングコイル９３は光軸に対しレンズの外周に配置されている。ＯＩＳコイル構造９４はその上に位置する複数のコイル（図示せず）を含み、光軸に垂直する平面上に配置されている。可撓性プリント電気回路９５はＯＩＳコイル構造９４に電気的に接続されて、ＯＩＳコイル構造９４を電気的に制御する。
【００３４】
レンズ駆動装置９は２つの第１サスペンションワイヤ９６１、９６２および２つの第２サスペンションワイヤ９６３と９６４を含んでいる。第１サスペンションワイヤ９６１と９６２はそれぞれ、一端で可撓性プリント電気回路９５に電気的に接続され、他端で第１上板ばね９１１の外板ばね部９１１２に電気的に接続され、かつ光軸に実質的に平行するように配置されている。注意するのは、第１サスペンションワイヤ９６１と９６２がそれぞれ、第１上板ばね９１１の外板ばね部９１１２と一体的にまたは全体的に形成されている。
【００３５】
第２サスペンションワイヤ９６３と９６４はそれぞれ、一端で可撓性プリント電気回路９５に電気的に接続され、他端で第２上板ばね９１２の外板ばね部９１２２に電気的に接続され、かつ光軸に実質的に平行するように配置されている。同様に、第２サスペンションワイヤ９６３と９６４はそれぞれ、第２上板ばね９１２の外板ばね部９１２２と一体的にまたは全体的に形成されている。
【００３６】
図１０は図９のレンズ駆動装置のサスペンションワイヤと一体成型された上板ばねの外板ばね部を示す部分的拡大上面斜視図である。図１０に示すように、第１サスペンションワイヤ９６１と第１上板ばね９１１の外板ばね部９１１２との間が一体成型構造であるため、部品数を減らすとともに、溶接過程を有効に省く。同様に、他のサスペンションワイヤ９６２〜９６４と第１上板ばね９１１の外板ばね部９１１２および第２上板ばね９１２の外板ばね部９１１２との間の一体成型構造は同じ機能を有している。
【００３７】
図１１は図９のレンズ駆動装置のフォーカシングコイルと上板ばねの間の電気接続を示す部分的拡大上面斜視図である。図１１に示すように、フォーカシングコイル９３は溶接部１１１により第１上板ばね９１１の内板ばね部９１１１に電気的に接続されている。同様に、図面に示していないが、フォーカシングコイル９３はさらに、別の溶接部により第２上板ばね９１２の内板ばね部９１２１に電気的に接続されている。このため、フォーカシングコイル９３は第１上板ばね９１１と第２上板ばね９１２の内板ばね部を介して第１上板ばね９１１と第２上板ばね９１２に接続されて可撓性プリント電気回路９５、４つのサスペンションワイヤ９６１〜９６４、上板ばね９１１と９１２およびフォーカシングコイル９３の電気回路を形成する。
【００３８】
注意するのは、図１１に示す実施例において、上板ばねの材料が必ず導電的であり、かつ内板ばね部と外板ばね部の間のオーバラップ領域１１２も必ず導電的である。このため、オーバラップ領域１１２を介して電気エネルギーを伝えることができる。
【実施例３】
【００３９】
図１２は本発明の第３実施例のＶＣＭ用レンズ駆動装置の主要構造を示す模式図。読者の理解を助けるために、レンズ駆動装置の一部の小部品を示していない。図１２に示すように、レンズ駆動装置１２は、上板ばね部と複数のサスペンションワイヤ１２６１〜１２６４を有する弾性支持構造、レンズホルダ１２２、フォーカシングコイル１２３、ＯＩＳコイル構造１２４および可撓性プリント電気回路１２５を主に含んでおり、なお、上板ばね部は内板ばね部１２１１１および外板ばね部１２１１２を有する第１上板ばね１２１１と、内板ばね部１２１２１および外板ばね部１２１２２を有する第２上板ばね１２１２とを含んでおり、なお、上板ばね部はレンズホルダ１２２のトップ面上に配置されて光軸に沿ってレンズホルダ１２２を弾性的に保持する。
【００４０】
第１上板ばね１２１１と第２上板ばね１２１２は別々に配置されるため、両者の間で構造的に接続されていない。レンズホルダ１２２（図示せず）は光軸を有するレンズの保持に用いられる。フォーカシングコイル１２３は光軸に対しレンズの外周に配置されている。ＯＩＳコイル構造１２４はその上に位置する複数のコイル（図示せず）を含み、光軸に垂直する平面上に配置されている。可撓性プリント電気回路１２５はＯＩＳコイル構造１２４に電気的に接続されて、ＯＩＳコイル構造１２４を電気的に制御する。
【００４１】
レンズ駆動装置１２は２つの第１サスペンションワイヤ１２６１、１２６２および２つの第２サスペンションワイヤ１２６３と１２６４を含んでいる。第１サスペンションワイヤ１２６１と１２６２はそれぞれ、一端で可撓性プリント電気回路１２５に電気的に接続され、かつ他端で第１上板ばね１２１１の外板ばね部１２１１２に電気的に接続され、かつ光軸に実質的に平行するように配置されている。注意するのは、第１サスペンションワイヤ１２６１と１２６２はそれぞれ、第１上板ばね１２１１の外板ばね部１２１１２と一体的にまたは全体的に形成されている。
【００４２】
第２サスペンションワイヤ１２６３と１２６４はそれぞれ、一端で可撓性プリント電気回路１２５に電気的に接続され、他端で第２上板ばね１２１２の外板ばね部１２１２２に電気的に接続され、かつ光軸に実質的に平行するように配置されている。同様に、第２サスペンションワイヤ１２６３と１２６４はそれぞれ、第２上板ばね１２１２の外板ばね部１２１２２と一体的にまたは全体的に形成されている。
【００４３】
図１３は図１２のレンズ駆動装置のサスペンションワイヤと一体成型された上板ばねの外板ばね部を示す部分的拡大上面斜視図。図１３に示すように、第１サスペンションワイヤ１２６１と第１上板ばね１２１１の外板ばね部１２１１２の間が一体成型構造であるため、部品数を減らすとともに、溶接過程を有効に省く。同様に、他のサスペンションワイヤ１２６２〜１２６４と第１上板ばね１２１１の外板ばね部１２１１２および第２上板ばね１２１２の外板ばね部１２１２２との間の一体成型構造は同じ機能を有している。
【００４４】
図１４は図１２のレンズ駆動装置のフォーカシングコイルと上板ばねの間の電気接続を示す局部放大仰視図である。図１４に示すように、フォーカシングコイル１２３は溶接部１１１’により第１上板ばね１２１１の外板ばね部１２１１２に電気的に接続されている。同様に、図面に示していないが、フォーカシングコイル１２３はさらに、別の溶接部により第２上板ばね１２１２の外板ばね部１２１２２に電気的に接続されている。このため、フォーカシングコイル１２３は第１上板ばね１２１１と第２上板ばね１２１２の外板ばね部を介して第１上板ばね１２１１と第２上板ばね１２１２に接続されて可撓性プリント電気回路１２５、４つのサスペンションワイヤ１２６１〜１２６４、上板ばね１２１１と１２１２およびフォーカシングコイル１２３の電気回路を形成する。
【００４５】
注意するのは、図１４に示す実施例において、上板ばねの内板ばね部１２１１１と１２１２１の材料が絶縁的であってもよい。なぜなら、フォーカシングコイル１２３は第１上板ばね１２１１の外板ばね部１２１１２および第２上板ばね１２１２の外板ばね部１２１２２に電気的に接続されているからである。このような場合には、内板ばね部と外板ばね部の間のオーバラップ領域１１２’が導電できないため、電気エネルギーがオーバラップ領域１１２’を介して伝わることができない。
【００４６】
要するに、本発明のレンズ駆動装置はサスペンションワイヤを介して３Ｄ弾性支持構造を有するレンズ駆動装置を提供し、サスペンションワイヤがいずれも上板ばねと一体的にまたは全体的に形成されて、部品数を減らすとともに、溶接過程を省く。
【００４７】
以上で説明された実施例は例示的であって、本発明の構成を限定するものではない。本発明の趣旨と範囲を逸脱しないとの前提で行う同じ効果を有するすべての改良と変更は添付の特許請求の範囲内に入るべきである。
【図１】
0005946865.tif 000002
【図２】
0005946865.tif 000003
【図３】
0005946865.tif 000004
【図４】
0005946865.tif 000005
【図５】
0005946865.tif 000006
【図６】
0005946865.tif 000007
【図７】
0005946865.tif 000008
【図８】
0005946865.tif 000009
【図９】
0005946865.tif 000010
【図１０】
0005946865.tif 000011
【図１１】
0005946865.tif 000012
【図１２】
0005946865.tif 000013
【図１３】
0005946865.tif 000014
【図１４】
0005946865.tif 000015
【図１５】
0005946865.tif 000016
【図１６】
0005946865.tif 000017
【図１７】
0005946865.tif 000018